(57)【特許請求の範囲】
【請求項１】
レールを走行する吊車装置に吊り下げ支持される基枠に、扉を回転可能に取り付けた扉付移動壁であって、
前記基枠は、前記吊車装置に吊り下げ支持され水平方向に延びる横枠体と、前記横枠体の一方の端部から下方に延びる縦枠体とを有し、
前記縦枠体に、前記縦枠体の上端から上方に進退可能な上部材、及び前記縦枠体の下端から下方に進退可能な下部材を有し、所定の位置で前記上部材を前記縦枠体から伸ばして前記レールに係合させるとともに前記下部材を前記縦枠体から伸ばして床に係合させて前記基枠を固定しかつ前記上部材及び前記下部材を移動させてその固定を解除する固定機構を設け、
前記横枠体に、前記扉に解除可能に係合して前記扉を閉状態に保持する保持部材を設け、
前記基枠に、前記保持部材で前記扉を閉状態に保持しているとき、前記固定機構による前記基枠の固定とその固定の解除を行え、この基枠の固定が解除されている状態では前記保持部材が前記閉状態にロックされ、かつ、前記固定機構で前記基枠を固定しているとき、前記保持部材による前記扉の閉状態の保持とその扉への係合の解除を行え、この保持部材による扉の係合が解除された状態では前記基枠の固定がロックされる連動機構を設けたことを特徴とする扉付移動壁。
【請求項２】
前記保持部材は、前記扉に係合して前記扉を閉状態に保持する係合位置と前記扉との係合が解除されて前記扉の開閉を行える解除位置との間で移動可能に前記横枠体に設けられ、
前記上部材は、前記横枠体に退避された退避位置と前記横枠体から伸びて前記レールに係合して前記基枠を固定する固定位置との間で上下方向に移動可能に前記横枠体に設けられ、
前記連動機構は、前記保持部材を係合位置にロックする第１ロック位置と前記上部材を固定位置にロックする第２ロック位置との間で回転可能に前記横枠体に設けられかつ前記保持部材が係合位置から解除位置に回転するときにこの保持部材の移動に伴って第１ロック位置から第２ロック位置に回転し前記保持部材が解除位置から係合位置に移動すると自重で第２ロック位置から第１ロック位置に回転するロックカムと、前記上部材の退避位置から固定位置への移動を許容する第１位置と前記上部材を固定位置にロックする第２位置との間で回転可能に前記横枠体に設けられているリンクカムと、一端が前記ロックカムに係合し他端が前記リンクカムに当接して前記ロックカムを第１ロック位置にロックするロックカムロック位置と他端が第２位置に位置された前記リンクカムに当接し一端が前記ロックカムの回転を許容するとともに前記ロックカムが第２ロック位置のときに他端から一端への移動を防止して前記リンクカムを第２位置にロックするリンクカムロック位置との間で移動可能に前記横枠体に一端から他端側に付勢されて設けられているロックバーと、前記保持部材を解除位置にロックするロック位置と前記保持部材の係合を解除する解除位置との間で回転可能に前記横枠体に解除位置からロック位置側に付勢されて設けられている係合フックとを有している請求項１に記載の扉付移動壁。
【請求項３】
前記上部材は、前記縦枠体内で上下方向に移動可能に設けられ上端が前記縦枠体の上端から上方に進退する圧接バーと、前記圧接バーの上端に上下方向に移動可能でその上端から突出する方向に付勢されて設けられた平板状の圧接板と、前記圧接板から前記圧接バーの長手方向に突出して設けられ前記レールの下面に設けられた挿入穴に挿入されて前記圧接板が前記挿入穴が設けられている表面に面接触し前記基枠の上部が固定される位置決めピンとを有し、
前記下部材は、前記縦枠体内で上下方向に移動可能に設けられ下端が前記縦枠体の下端から下方に進退し、下端である先端が前記床に設けられた係合穴に挿入されて係合し前記基枠の下部を固定する係合凸部として形成されている移動バーであり、
前記固定機構は、前記上部材と前記下部材との他に、前記圧接バーと前記移動バーとの間に設けられ前記圧接バー及び前記移動バーをそれぞれ突出方向又は退避方向に連動させて作動させる連動操作部とを備えた請求項１又は２に記載の扉付移動壁。
【請求項４】
前記扉は、矩形平板状に形成され、上下の回転軸を介して前記基枠に回転可能に取り付けられ、
前記基枠は、前記縦枠体の下端から前記横枠体側に突出する受け部を有し、
前記上方の回転軸である第１回転軸は、上部が前記横枠体の前記縦枠側の端部近傍内で回転可能に吊り下げ支持され、下方が横枠体から下方に延び前記扉の上端の一方の角部である第１角部近傍に取り付けられてなり、
前記下方の回転軸である第２回転軸は、前記受け部又は前記扉の下端の前記第１角部側の下角部近傍に取り付けられ、かつ、前記扉の下角部近傍又は前記受け部に回転可能に支持され、
前記保持部材は、前記扉を解除可能に吊り下げ支持する吊部材である請求項１〜３のいずれか１項に記載の扉付移動壁。
【請求項５】
前記保持部材は、一方の端部である基部が回転可能に前記横枠体に設けられ、かつ、他方の端部がこの端部近傍の一方の側部に切り欠きが形成されてフック部として形成されてなり、
前記扉に、前記保持部材のフック部が係合して前記扉が吊り下げ支持される支持ピンを取付位置が調節可能に取り付けた請求項４に記載の扉付移動壁。
【請求項６】
前記第１回転軸の前記扉の幅方向に対する位置の調節を行う第１軸調節部と、前記第２回転軸の前記扉の幅方向に対する位置の調節を行う第２軸調節部とを備えた請求項４又は５に記載の扉付移動壁。
【請求項７】
前記第１軸調節部は、前記扉にこの扉の幅方向にスライド可能に設けられ前記第１回転軸が挿入される第１スライド部材と、前記第１スライド部材に前記扉の第１角部とは反対側の角部である第２角部から前記第１角部への前記扉の第１幅方向に螺合されて先端が前記扉に固定された第１固定部材に当接する第１アジャスタ部材とを有し、第１アジャスタ部材を先端が前記スライド部材との螺合箇所から離れる方向にこの第１スライド部材に対して回転させることで前記扉の上方が前記第１回転軸に対して前記第１幅方向とは反対方向の第２幅方向に移動し、かつ、第１アジャスタ部材を先端が前記第１スライド部材の螺合箇所に近づく方向にこの第１スライド部材に対して回転させることで前記扉の上方が前記第１回転軸に対して前記第１幅方向に移動するように構成され、
前記第２軸調節部は、前記扉にこの扉の幅方向にスライド可能に設けられ前記受け部に固定された前記第２回転軸が回転可能に挿入される軸穴を有している第２スライド部材と、前記扉に固定された第２固定部材に前記第２幅方向に螺合されて先端が前記第２回転軸に当接する第２アジャスタ部材とを有し、第２アジャスタ部材を先端が前記扉の固定部材との螺合箇所から離れる方向にこの固定部材に対して回転させることで前記扉の下方が前記第２回転軸に対して前記第２幅方向に移動し、かつ、第２アジャスタ部材を先端が前記固定部材の螺合箇所に近づく方向にこの固定部材に対して回転させることで前記扉の下方が前記第２回転軸に対して前記第１幅方向に移動するように構成されている請求項６に記載の扉付移動壁。
【請求項８】
前記横枠体の両端部近傍に、前記吊車装置の連結部が取り付けられる吊車取付部材がそれぞれ固定され、前記第１回転軸は、それら吊車取付部材が固定される前記横枠体の固定箇所の間であって前記縦枠体側の固定箇所の近傍に配置されている請求項１〜７のいずれか１項に記載の扉付移動壁。
【請求項９】
前記保持部材は、前記吊車取付部材が固定される前記横枠体の固定箇所の間であって前記縦枠体から離れた側の固定箇所の近傍に配置されている請求項８に記載の扉付移動壁。
【発明の詳細な説明】
【技術分野】
【０００１】
本発明は、レールを走行する吊車装置に吊り下げ支持される基枠に扉を回転可能に取り付けた扉付移動壁に関するものである。
【背景技術】
【０００２】
コンベンションホール、宴会場、会議室、研修室、ギャラリー、美術館、博物館等において、広い空間を使用目的に応じて手動で移動できる移動壁で所定のサイズに間仕切りすることが行われている。移動壁は、天井に敷設されたレールに案内されて走行する吊車装置によって吊り下げ支持されている矩形平板状の壁体である。
移動壁の中には、レールを走行する吊車装置に吊り下げ支持される基枠に、矩形  平板状の扉を回転可能に取り付けた扉付移動壁があり（例えば、特許文献１参照。）、所定の箇所に扉付移動壁を設置することで移動壁によって仕切られた空間を行き来することができるようになる。
【０００３】
特許文献１に記載されている扉付移動壁は、基枠の上端から上方に進退可能な上部材と基枠の下端から下方に進退可能な下部材とを有し、所定の位置で上部材を基枠から伸ばして天井に係合させるとともに下部材を基枠から伸ばして床に係合させて基枠を固定する固定機構を備えている。また、扉の上方の基枠には、扉を閉状態にロックするロック棒が上下方向に移動可能に設けられており、ロック棒が基枠から伸びて扉に係合することで、扉が閉状態にロックされる。さらに、ロック棒と固定機構とを連動させる連動機構を備えている。連動機構は、上部材及び下部材が基枠から伸びて基枠が固定されると、この上部材及び下部材の移動に伴ってロック棒が縮んで（基枠から突出する長さが短くなって）扉のロック状態が解除され、逆に上部材及び下部材が縮んで基枠の固定が解除されると、この上部材及び下部材の移動に伴ってロック棒が基枠から伸びて扉がロックされるようになっている。
【０００４】
これにより、上部材及び下部材が基枠に退避されているときには、ロック棒が扉に係合して扉が閉状態にロックされているために、扉付移動壁を移動させる際には、扉が開くことがない。この扉付移動壁を所定の位置に設置するには、所定の位置に移動させた後に上部材及び下部材を基枠からそれぞれ伸ばして天井及び床に係合させることで、基枠が固定される。このとき、上部材及び下部材の移動に伴ってロック棒が縮んで自動的に扉のロック状態が解除されるので、基枠の固定と扉のロックの解除とを１つの動作で行うことが可能となる。そして、この固定された扉付移動壁を他に移動させるには、基枠から伸びた上部材及び下部材をそれぞれ縮めることで、基枠の固定が解除される。このとき、上部材及び下部材の移動に伴ってロック棒が伸びて扉と係合し扉が閉状態に自動的にロックされるので、基枠の固定の解除と扉のロックとを１つの動作で行うことが可能となる。
【先行技術文献】
【特許文献】
【０００５】
【特許文献１】実開平３−６６３７６号公報
【発明の概要】
【発明が解決しようとする課題】
【０００６】
ところで、特許文献１に記載されている扉付移動壁では、扉付移動壁を所定の位置に固定した状態から他に移動させるには、基枠の固定を解除するが、基枠の固定の解除と扉のロックとを１つの動作で行うために、基枠の固定を解除するときには、扉が固定されていないので、扉が完全に閉じていないときでも基枠の固定の解除を行える。このため、基枠の固定を解除するときに扉が動くことがあり、また、ロック棒が扉に係合する前に扉が開くことがある。その結果、基枠の固定の解除を安全に行えず、かつ、この状態のまま扉付移動壁を移動させると、移動中に扉が動くので、安全に扉付移動壁の移動を行えない。
また、この扉付移動壁を所定の位置に設置するのに、移動後、基枠を固定するが、基枠の固定と扉のロックの解除とを１つの動作で行うために、基枠を固定する動作の途中で扉のロックが解除されて基枠が完全に固定される前に扉が開くことがある。その結果、基枠を完全に固定するときに扉が開いたり、基枠を固定する動作を行ったが基枠の固定を行えなかったときにこの動作途中で扉のロックが解除されて扉が開いたりして、安全に扉付移動壁の設置を行えない。すなわち、扉付移動壁の安全が十分ではなかった。
本発明が解決しようとする課題は、安全性に優れた扉付移動壁を提供することにある。
【課題を解決するための手段】
【０００７】
前記課題を解決するため、本発明に係る扉付移動壁は、レールを走行する吊車装置に吊り下げ支持される基枠に、扉を回転可能に取り付けた扉付移動壁であって、前記基枠は、前記吊車装置に吊り下げ支持され水平方向に延びる横枠体と、前記横枠体の一方の端部から下方に延びる縦枠体とを有し、前記縦枠体に、前記縦枠体の上端から上方に進退可能な上部材、及び前記縦枠体の下端から下方に進退可能な下部材を有し、所定の位置で前記上部材を前記縦枠体から伸ばして前記レールに係合させるとともに前記下部材を前記縦枠体から伸ばして床に係合させて前記基枠を固定しかつ前記上部材及び前記下部材を移動させてその固定を解除する固定機構を設け、前記横枠体に、前記扉に解除可能に係合して前記扉を閉状態に保持する保持部材を設け、前記基枠に、前記保持部材で前記扉を閉状態に保持しているとき、前記固定機構による前記基枠の固定とその固定の解除を行え、この基枠の固定が解除されている状態では前記保持部材が前記閉状態にロックされ、かつ、前記固定機構で前記基枠を固定しているとき、前記保持部材による前記扉の閉状態の保持とその扉への係合の解除を行え、この保持部材による扉の係合が解除された状態では前記基枠の固定がロックされる連動機構を設けたことを特徴とする。
【０００８】
これにより、扉付移動壁の移動時には、基枠の固定を解除した状態であり、この状態は、保持部材で扉が閉状態に保持されたときで、このとき保持部材が閉状態にロックされているので、扉が開くことなく安全に扉付移動壁を移動させることができる。また、扉付移動壁を収納するときには、移動時と同じ状態で収納することで、扉が開くことなく安全に扉付移動壁を収納することができる。
扉付移動壁を所定の位置に設置する場合には、所定の位置に移動後、基枠を固定するが、基枠の固定が解除されている状態では保持部材が閉状態にロックされているので、基枠を固定しないと、保持部材による扉の係合を解除できない。すなわち、基枠を固定してから扉のロック状態を解除するので、基枠を固定する動作中に扉のロックが解除されて扉が開くことはない。また、基枠を固定する動作を行ったが、基枠の固定を行えなかったときに扉が開くこともない。よって、安全に扉付移動壁の設置を行えることになる。また、扉の係合が解除された状態では基枠の固定がロックされるので、基枠が動くことなく安全に扉の開閉を行える。
扉付移動壁を所定の位置に固定した状態から他に移動させるには、基枠の固定を解除するが、保持部材による扉の係合が解除された状態では基枠の固定がロックされているので、保持部材で扉を閉状態に保持しないと、基枠の固定を解除できない。すなわち、扉を閉状態に保持してから基枠の固定を解除するので、基枠の固定を解除する動作中に扉が開くことはない。よって、安全に基枠の固定の解除を行えることになる。
したがって、本発明に係る扉付移動壁は安全性に優れたものである。
【発明の効果】
【０００９】
本発明によれば、安全性に優れた扉付移動壁が得られる。
【図面の簡単な説明】
【００１０】
【図１】本発明に係る一実施形態の扉付移動壁を含む移動壁で間仕切りを行う状態を模した一例を示す概略斜視図である。
【図２】本実施形態の扉付移動壁の一例を示す図で、（ａ）は正面図、（ｂ）は左側面図、（ｃ）は右側面図、（ｄ）は平面図である。
【図３】本実施形態の扉付移動壁に用いた扉と基枠の内部構造の一例を示す正面図である。
【図４】本実施形態の扉付移動壁の基枠の角部と扉の内部構造の一例を示す図で、（ａ）は正面図、（ｂ）は（ａ）中のＡ−Ａ線矢視断面図である。
【図５】本実施形態の扉付移動壁の基枠の角部と扉の内部構造の一例を示す一部分解斜視図である。
【図６】本実施形態の扉付移動壁に用いた第１軸調節部の一例を示す図で、（ａ）は分解斜視図、（ｂ）は第１回転軸が扉の角部から離れた状態を示す斜視図、（ｃ）は第１回転軸が扉の角部から離れた状態を示す正面図、（ｄ）は第１回転軸が扉の角部に近づいた状態を示す斜視図、（ｅ）は第１回転軸が扉の角部に近づいた状態を示す正面図である。
【図７】本実施形態の扉付移動壁に用いた第２軸調節部の一例を示す図で、（ａ）は分解斜視図、（ｂ）は扉の角部が縦枠体に近づいた状態を示す斜視図、（ｃ）は扉の角部が縦枠体に近づいた状態を示す正面図、（ｄ）は扉の角部が縦枠体から離れた状態を示す斜視図、（ｅ）は扉の角部が縦枠体から離れた状態を示す正面図である。
【図８】本実施形態の扉付移動壁に用いた上部材の一例を示す図で、（ａ）は基枠に対して縮めた状態を示す正面図、（ｂ）は基枠に対して縮めた状態を示す斜視図、（ｃ）は基枠に対して伸ばした状態を示す正面図、（ｄ）は基枠に対して伸ばした状態を示す斜視図である。
【図９】本実施形態の扉付移動壁に用いた上部材の一例を示す図で、（ａ）は分解斜視図、（ｂ）は斜視図である。
【図１０】本実施形態の扉付移動壁に用いた吊部材及び連動機構の一部の一例を示す図で、（ａ）は正面図、（ｂ）は（ａ）中のＢ−Ｂ線矢視断面図である。
【図１１】本実施形態の扉付移動壁に用いた吊部材及び連動機構の一部の一例を示す一部分解斜視図である。
【図１２】本実施形態の扉付移動壁に用いた吊部材及び連動機構の一部の一例を示す分解斜視図である。
【図１３】本実施形態の扉付移動壁に用いた連動機構を説明するための図で、固定機構による基枠の固定が解除されて吊部材による扉の吊り下げ支持がロックされている状態を示す図である。
【図１４】本実施形態の扉付移動壁に用いた連動機構を説明するための図で、固定機構により基枠が固定された状態を示す図である。図１４中、Ｃで示した図は、吊部材を係合位置から解除位置に回転させる途中を示す図である。
【図１５】本実施形態の扉付移動壁に用いた連動機構を説明するための図で、吊部材による扉の吊り下げ支持が解除されて固定機構による基枠の固定がロックされている状態を示す図である。
【発明を実施するための形態】
【００１１】
以下、本発明に係る扉付移動壁の一実施形態を添付図面に基づいて説明する。図１に示すように、本実施形態の扉付移動壁１は、所定の箇所に設置することで移動壁１５によって仕切られた互いの空間を行き来できるようにするためのものである。扉付移動壁１は、移動壁１５と同様に、幅方向の両側近傍の上端にそれぞれ吊車装置１１が取り付けられ、手動で２つの吊車装置１１とともにレール１２に沿って移動することができるようになっている。レール１２は、断面横長の略矩形筒体の下辺の中央が開口されたスリットを有している形状を基本形状として形成されている。このレール１２内を吊車装置１１の主たる構成要素である車輪を備えた車体が走行する。車体の下面からレール１２のスリットを介して下方に延びる連結部１１ａ（図３参照。）に扉付移動壁１が取り付けられて、扉付移動壁１が吊車装置１１に吊り下げ支持されている。なお、図１中、符号１６は複数の移動壁１５で間仕切りを行う際に両側又は一方の側に配置される本実施形態の扉付移動壁１とは異なる扉付移動壁を示している。
【００１２】
扉付移動壁１は、レール１２を走行する吊車装置１１の連結部１１ａに取り付けられて吊車装置１１に吊り下げ支持される基枠２と、基枠２に回転可能に取り付けられている扉３とを備えている。
【００１３】
基枠２は、図２に示すように、吊車装置１１に吊り下げ支持され水平方向に延びる横枠体２１と、横枠体２１の一方の端部から下方に延びる縦枠体２２と、縦枠体２２の下端から横枠体２１側に突出される受け部２３とを有している。基枠２は、受け部２３を有しているが、全体的に横枠体２１と縦枠体２２とで略Ｌ字状に形成されている。基枠２は、扉３の割合が大きくなるように横枠体２１の高さ方向の長さと縦枠体２２の幅（水平方向の長さ）とができるだけ短く形成されていることが好ましい。このため、基枠２は、図４、図５、図１０及び図１１に示すように、一対の表面パネル２４とブロック体２５（内装体２６を含む）との間に一対の補強板２７が設けられてなる。これら一対の表面パネル２４、一対の補強板２７及びブロック体２５は、ネジ止めにより互いに固定されている。基枠２の角部の縦枠体２２の内面の延長線上の箇所すなわち横枠体２１の一方の端部近傍と横枠体２１の他方の端部である先端部近傍には、吊車装置１１の連結部１１ａを取り付ける吊車取付部材１８がそれぞれ固定されている。
【００１４】
これら２つの吊車取付部材１８の形状及び吊車取付部材１８が固定される横枠体２１の構造は、略同じであるので、基枠２の角部側のみを説明し、横枠体２１の先端部側の説明は省略する。吊車取付部材１８は、横枠体２１の長手方向に延びる細長の扁平な直方体状に形成され、中央部に厚さ方向（上下方向）に貫通し吊車装置１１の連結部１１ａが螺合されるネジ穴１８ａが設けられている（特に図５参照）。吊車取付部材１８の長手方向に延びる両端面（扉３の厚さ方向の両側の面）には、それぞれ面から断面矩形状に突出する凸部１８ｂが設けられている。これら２つの凸部１８ｂがそれぞれ一対の補強板２７の各嵌合部２７ａに嵌合して固定されている。この吊車取付部材１８が一対の補強板２７に固定された箇所は、上方が開放され、かつ、下方がブロック体２５との間に空間が設けられている箇所（図示例では、後述するロックバー１０３に連結部１１ａの下方が挿入され得る矩形状の穴１０３ａが設けられている箇所を含む。）である。このため、一対の補強板２７に固定された吊車取付部材１８のネジ穴１８ａに上方から吊車装置１１の連結部１１ａを螺合させることで、扉付移動壁１の幅方向の両側近傍の上端の２箇所それぞれで吊車装置１１に吊り下げ支持されるようになっている。また、吊車取付部材１８への吊車装置１１の連結部１１ａの螺合箇所を上下に移動させることにより、吊車装置１１の連結部１１ａに対する扉付移動壁１の高さ方向（上下）の位置の調節を行えるようになっている。なお、図５中、符号２７ｂは、ロックバー１０３の穴１０３ａを設けた箇所の幅方向の両側側部を突出させて形成した突片１０３ｂがロックバー１０３の長手方向にスライド可能に嵌合する凹部を示している。この凹部２７ｂは、ロックバー１０３を長手方向に移動させるガイドとして作用している。
【００１５】
扉３は、図１〜図３に示すように、基枠２のＬ字状の内側の幅と高さの寸法の矩形と略同じか若干小さな矩形の平板状に形成されている。扉３は、特に限定されないが、ガラス扉であることが好ましい。この扉３は、例えば、矩形平板状のガラス板３０の上辺及び下辺がそれぞれ断面凹状の上下フレーム３１，３２に嵌合されて形成されている。上下フレーム３１，３２は、基枠２と同様に高さ方向の長さができるだけ短くなるように、一対の表面パネル３３とブロック体３４（図６参照。）や内装体との間に一対の補強板３５が設けられて形成されている。これにより、扉３はほとんどがガラス板３０であるので見栄えがよいものとなる。上下フレーム３１，３２すなわち扉３が上下の回転軸４，５を介して基枠２に回転可能に取り付けられている。なお、扉３は、蝶番を用いて基枠２に回転可能に取り付けてもよいが、上下の回転軸４，５を介して回転可能に取り付けることが好ましい。また、図１及び図２中、符号３９は把手を示している。
【００１６】
上方の回転軸である第１回転軸４は、図３〜図５に示すように、上部が横枠体２１内で回転可能に吊り下げ支持され、下方が扉３に取り付けられてなる。第１回転軸４は、頭部４ａ例えば六角形状の頭部４ａを有しているネジ部材であり、頭部４ａ及び上部が横枠体２１内に位置される部分で、横枠体２１から突出する箇所にネジ溝が形成されてネジ部４ｂが形成されてなるものである。ネジ部４ｂは、第１回転軸４の上部に形成されていてもよい。第１回転軸４の上部が横枠体２１の第１回転軸支持部４１に支持される。第１回転軸支持部４１は、横枠体２１の２つの吊車取付部材１８が固定される固定箇所間であって縦枠体２２側（基枠２の角部側）の固定箇所の近傍に設けられていることが好ましい。すなわち、第１回転軸４は、縦枠体２２側の吊車取付部材１８の近傍の横枠体２１に配置されていることが好ましい。
【００１７】
第１回転軸支持部４１は、ブロック体２５と一対の補強板２７により形成されている。すなわち、横枠体２１を構成するブロック体２５が水平方向に分割された２つのブロック体２５からなり、これらブロック体２５の間隔を第１回転軸４の直径より若干大きな寸法で形成し、これら２つのブロック体２５間に第１回転軸４が嵌合された状態で上方から挿入されるようになっている。これら２つのブロック体２５の互いに対向する面の上方がそれぞれ階段上に窪んで段部４２として形成されている（特に図４参照。）。これら段部４２を形成した空間とこれら空間の間の空間に対応する一対の補強板２７の箇所には、矩形状の穴４３ａがそれぞれ設けられている（特に図５参照。）。これら穴４３ａを形成する底面がブロック体２５の段部４２と面一に形成されている。一対の補強板２７の穴４３は、矩形状の穴４３ａがそれぞれ上方に例えば２倍の高さまで延びさらに縦枠体２２とは反対側の横枠体２１の長手方向に延びて略Ｌ字状に形成されている。これら一対の補強板２７のＬ字状の穴４３とブロック体２５の段部４２によって第１回転軸支持部４１が形成されている。
【００１８】
２つのブロック体２５の段部４２と一対の補強板２７の穴４３（実際には矩形状の穴４３ａ）を形成する底面上に矩形平板状の受け板４４が載置されている。受け板４４は、補強板２７の厚さ方向の長さが一対の補強板２７のそれぞれの外面と外面との間の長さと略同じ寸法で形成され、かつ、横枠体２１の長手方向の長さが、２つのブロック体２５の段部４２により形成され互いに対向する垂直面間の長さより若干短い寸法で形成されてなる。また、受け板４４の中央部には、第１回転軸４のネジ部４ｂが挿入されそのネジ部４ｂより若干大きな径の穴が設けられている。これにより、受け板４４が２つのブロック体２５の段部４２と一対の補強板２７の穴４３を形成する底面上に嵌合された状態で載置されるようになっている。この受け板４４上にリング状の軸受４５を介して第１回転軸４の頭部４ａが載置されるようになっている。すなわち、第１回転軸４の先端からリング状の軸受４５及び受け板４４をネジ部４ｂの外周に順次通し、この先端を２つのブロック体２５の間に上方から挿入して横枠体２１から下方に突出させ、かつ、受け板４４を２つのブロック体２５の段部４２と一対の補強板２７の穴４３を形成する底面上に嵌合された状態で載置することで、受け板４４上にリング状の軸受４５を介して頭部４ａが載置されるようになっている。これにより、第１回転軸４は、横枠体２１に対する位置がずれることなく横枠体２１に回転可能に吊り下げ支持されるようになっており、この第１回転軸４のネジ部４ｂに扉３を取り付けることで、扉３の上部が第１回転軸４によって回転可能に吊り下げ支持されることになる。
【００１９】
第１回転軸４の扉３への取り付けは、扉３に取り付けることができれば特に限定されないが、第１回転軸４に対する扉３の取付位置を調節し得るようにすることが好ましく、例えば、図４〜図６に示すように、扉３に係合しかつ第１回転軸４に螺合するヒンジナット４６と、第１回転軸４に螺合するナット４７とを用いて行うことが好ましい。
【００２０】
ヒンジナット４６は、矩形平板状に形成され、中央部に第１回転軸４が螺合するネジ穴４６ａが設けられている。ヒンジナット４６の扉３の厚さ方向の長さは、上フレーム３１の一対の補強板３５のそれぞれの外面である表面間の長さと略同じ寸法で形成されている。ヒンジナット４６の扉３の幅方向の長さは、上フレーム３１の一対の補強板３５にそれぞれ対向して設けられた扉３の幅方向に細長の矩形状のスライド穴３６の長手方向の長さより短く形成されている。ヒンジナット４６の厚さは、スライド穴３６の高さ方向の長さより若干短い寸法で形成されている。これにより、ヒンジナット４６は、上フレーム３１の一対の補強板３５の各スライド穴３６にスライド穴３６の長手方向にスライド可能に係合されている。
【００２１】
ナット４７は、特に限定されず、例えば、六角ナットが用いられている。このナット４７を第１回転軸４のネジ部４ｂに螺合させてから第１回転軸４の先端を後述する第１スライド部材６１の軸穴６１ａに挿入し上フレーム３１の一対の補強板３５のスライド穴３６に係合されているヒンジナット４６に螺合させ、このヒンジナット４６とナット４７とで上フレーム３１と第１スライド部材６１とを締め付けることで、第１回転軸４に扉３の一方の角部近傍の上端が固定されるようになっている。また、ヒンジナット４６とナット４７とで上フレーム３１と第１スライド部材６１とを締め付ける際にヒンジナット４６とナット４７の第１回転軸４に対する螺合箇所を上下に移動させることにより、第１回転軸４に対する扉３の高さ方向（上下）の位置の調節を行えるようになっている。
【００２２】
また、第１回転軸４の扉３の幅方向に対する位置の調節を行う第１軸調節部６が扉３つまり上フレーム３１に設けられていることが好ましい。第１軸調節部６は、上フレーム３１に扉３の幅方向にスライド可能に設けられる第１スライド部材６１と、第１スライド部材６１をスライドさせる第１アジャスタ部材とを有している。第１スライド部材６１は、扉３の幅方向に延びる細長の扁平な直方体状に形成されている。第１スライド部材６１の扉３の厚さ方向の長さは、上フレーム３１の一対の補強板３５のそれぞれの外面である表面間の長さと略同じ寸法で形成されている。第１スライド部材６１は、上フレーム３１の一対の補強板３５の上端面上に載置されている。第１スライド部材６１の一方の端部である横枠体２１側の端部側には、第１回転軸４が挿入される上下方向に貫通する軸穴６１ａが設けられている。軸穴６１ａの径は、第１回転軸４のネジ部４ｂの径より若干大きな寸法で形成されている。第１スライド部材６１の長手方向の中央及び他方の端部側には、上下方向に貫通しその長手方向に長い長穴６１ｂがそれぞれ設けられている。各長穴６１ｂには、頭部を有している第１固定部材であるスライドボルト６２が上方から挿入され、これらスライドボルト６２が上フレーム３１のブロック体３４に設けられた２つのネジ穴３４ａにそれぞれ螺合されるようになっている。これにより、スライドボルト６２をネジ穴３４ａに対して締め付ける方向に回転させることで、スライドボルト６２の頭部とブロック体２５とで第１スライド部材６１が扉３の上フレーム３１に固定されるようになっている。また、スライドボルト６２がネジ穴３４ａから離脱しない範囲でスライドボルト６２をネジ穴３４ａに対して離脱する方向に回転させてスライドボルト６２の頭部とブロック体３４との締め付けがされていない緩んだ状態にすることで、第１スライド部材６１が扉３の幅方向にスライド可能になっている。
【００２３】
第１アジャスタ部材は、例えば、第１調節ネジ６３である。第１スライド部材６１の横枠体２１とは反対側（扉３の上方の横枠体２１に近い角部である第１角部とは反対側）の端面には、第１スライド部材６１の長手方向に延び長穴６１ｂ（端部側の長穴６１ｂ）に貫通し、第１調節ネジ６３が螺合するネジ穴６１ｃが設けられている。このネジ穴６１ｃに第１調節ネジ６３を螺合させて第１調節ネジ６３の先端を長穴６１ｂに挿入されているスライドボルト６２に当接するようにする。これにより、２つのスライドボルト６２を緩めた状態で、第１調節ネジ６３を長穴６１ｂから突出する長さが長くなるようにネジ穴６１ｃに対して回転させることで、第１スライド部材６１が第２幅方向（扉３の第１角部から第１角部とは反対側の第２角部側の幅方向）にスライドして第１回転軸４の扉３に対する幅方向の位置が第２幅方向に移動するようになっている。逆に、第１調節ネジ６３を長穴６１ｂから突出する長さが短くなるようにネジ穴６１ｃに対して回転させることで、扉３の自重により第１スライド部材６１が第２幅方向とは反対方向の第１幅方向にスライドして第１回転軸４の扉３に対する幅方向の位置が第１幅方向に移動するようになっている。よって、第１調節ネジ６３をネジ穴６１ｃに対して回転させることで、第１回転軸４の扉３に対する幅方向の位置を調節することができるようになっている。この第１回転軸４の扉３に対する幅方向の移動範囲である第１スライド部材６１のスライド範囲は、スライドボルト６２が長穴６１ｂを移動し得る範囲又はヒンジナット４６がスライド穴３６を移動し得る範囲であるので、長穴６１ｂやスライド穴３６の長手方向の長さを調節することで、第１スライド部材６１のスライド範囲を調節することができる。
【００２４】
下方の回転軸である第２回転軸５は、図７に示すように、扉３の下部を回転可能に基枠２の受け部２３に取り付けるものである。第２回転軸５は、円柱状に形成されている。第２回転軸５は、扉３の下端の前記の第１角部側の下角部近傍に取り付けてもよいが、受け部２３に取り付けることが好ましい。受け部２３は、縦枠体２２の下端から横枠体２１側に横枠体２１と平行に突出した例えば断面略矩形状に形成されている。受け部２３の突出長さは、第２回転軸５を取り付けることができる範囲から任意設定されるが、できるだけ短い寸法で形成することが好ましい。第２回転軸５は、軸が扉３の上下方向と平行で受け部２３の上面から上方に突出するように受け部２３に固定されて取り付けられている。
【００２５】
扉３の下フレーム３２の下面の下角部及びその近傍は、上方に窪んだ段部３２ａとして形成され、この段部３２ａに第２回転軸５が回転可能に挿入される後述する第２スライド部材７１が取り付けられている。第２スライド部材７１には、第２回転軸５が挿入される上下方向に延びる軸穴７１ａが設けられている。軸穴７１ａの径は、第２回転軸５の径より若干大きな寸法で形成されている。また、扉３の段部３２ａの上下方向の長さ、第２スライド部材７１の上下方向の長さ及び軸穴７１ａの軸方向の長さは、第２回転軸５の先端が軸穴７１ａの途中に位置される寸法で形成されている。これにより、第２回転軸５は、第２スライド部材７１に回転可能に支持され、すなわち、扉３の下部が第２回転軸５を介して受け部２３に回転可能に支持されるようになっている。
【００２６】
また、第２回転軸５の扉３の幅方向に対する位置の調節を行う第２軸調節部７が下フレーム３２に設けられていることが好ましい。第２軸調節部７は、下フレーム３２に扉３の幅方向にスライド可能に設けられる第２スライド部材７１と、扉３に固定される第２固定部材７２と、第２スライド部材７１をスライドさせる第２アジャスタ部材とを有している。第２スライド部材７１は、扉３の幅方向に延びる細長の扁平な直方体状に形成されている。第２スライド部材７１の扉３の厚さ方向の長さは、下フレーム３２の一対の補強板３８のそれぞれの外面である表面間の長さと略同じ寸法で形成されている。第２スライド部材７１は、下フレーム３２の段部３２ａの下端面に取り付けられている。第２スライド部材７１の一方の端部である縦枠体２２側の第１端部側には、第２回転軸５が挿入される上下方向に貫通する軸穴７１ａが設けられている。第２スライド部材７１の長手方向の中央及び他方の端部である第２端部側には、上下方向に貫通しその長手方向に長い長穴７１ｂがそれぞれ設けられている。また、第２スライド部材７１の第１端部側の端面には、その長手方向に延び軸穴７１ａに貫通する通し穴７１ｃが設けられている。
【００２７】
第２固定部材７２は、第２スライド部材７１の下面及び第１端部側の端面を覆うＬ字板状に形成され、第２スライド部材７１の下面に面接触する基部７２ａと第２スライド部材７１の端面と対向する片部７２ｂとからなる。第２スライド部材７１の軸穴７１ａに対応する箇所の第２固定部材７２の基部７２ａには、第２回転軸５が挿入され基部７２ａの長手方向に延びる長穴７２ｃが設けられている。また、第２スライド部材７１の２つの長穴７１ｂに対応する箇所の基部７２ａには、それぞれ挿入穴７２ｄが設けられている。第２スライド部材７１の通し穴７１ｃに対応する箇所の片部７２ｂには、ネジ穴７２ｅが設けられている。第２スライド部材７１を下フレーム３２の段部３２ａの下端面に接触させ、この第２スライド部材７１の下面に第２固定部材７２の基部７２ａを接触させた状態で、第２固定部材７２の２つの挿入穴７２ｄからそれぞれスライドボルト７４を挿入して、これらスライドボルト７４が第２スライド部材７１の長穴７１ｂを通って下フレーム３２のブロック体３７に設けられた２つのネジ穴３７ａにそれぞれ螺合されるようになっている。これにより、スライドボルト７４をネジ穴３７ａに対して締め付ける方向に回転させることで、スライドボルト７４の頭部とブロック体３７とで第２固定部材７２及び第２スライド部材７１が扉３の下フレーム３２に固定されるようになっている。また、スライドボルト７４がネジ穴３７ａから離脱しない範囲でスライドボルト７４をネジ穴３７ａに対して緩める方向に回転させてスライドボルト７４の頭部とブロック体３７との第２固定部材７２及び第２スライド部材７１の締め付けがされていない緩んだ状態にすることで、第２スライド部材７１が扉３の幅方向にスライドするようになっている。
【００２８】
第２アジャスタ部材は、例えば、第２調節ネジ７３である。第２スライド部材７１の片部７２ｂのネジ穴７２ｅに第２調節ネジ７３を螺合させつつ第２スライド部材７１の通し穴７１ｃに挿入して第２調節ネジ７３の先端を第２スライド部材７１の軸穴７１ａに挿入されている第２回転軸５に当接するようにする。これにより、２つのスライドボルト７４を緩めた状態で、第２調節ネジ７３を頭部が第２固定部材７２の片部７２ｂに近づくようにネジ穴７２ｅに対して回転させることで、第２スライド部材７１が第２幅方向にスライドして第２回転軸５の扉３に対する幅方向の位置が第２幅方向に移動するようになっている。逆に、第２調節ネジ７３を頭部が第２固定部材７２から離れるようにネジ穴７２ｅに対して回転させることで、第２スライド部材７１が第１幅方向にスライドして第２回転軸５の扉３に対する幅方向の位置が第１幅方向に移動するようになっている。よって、第２調節ネジ７３をネジ穴７２ｅに対して回転させることで、第２回転軸５の扉３に対する幅方向の位置を調節することができるようになっている。この第２回転軸５の扉３に対する幅方向の移動範囲である第２スライド部材７１のスライド範囲は、スライドボルト７４が長穴７１ｂを移動し得る範囲又は第２回転軸５が長穴７２ｃを移動し得る範囲であるので、両長穴７１ｂ、７２ｃの長手方向の長さを調節することで、第２スライド部材７１のスライド範囲を調節することができる。
【００２９】
基枠２の縦枠体２２には、図３〜図５、図８、図９及び図１３〜図１５に示すように、基枠２を所定の箇所に固定する固定機構８が設けられている。固定機構８は、縦枠体２２の上端から上方に進退可能な上部材８１と、縦枠体２２の下端から下方に進退可能な下部材とを有している。なお、上部材８１が突出する箇所は、実際には横枠体２１と縦枠体２２との区別がつかないので便宜上縦枠体２２とした。
【００３０】
上部材８１は、縦枠体２２内で上下方向に移動可能に設けられ上端が縦枠体２２の上端から上方に進退する圧接バー８３と、圧接バー８３の上端にその長手方向である上下方向に移動可能で突出する方向に付勢されて設けられた平板状の圧接プレート８４と、圧接プレート８４に設けられた位置決めピン８５とを有している。
【００３１】
圧接バー８３は、上下方向に延びる細長の板状の棒状部材である。圧接バー８３の下端には、連結バー２８８に連結するための連結穴８３ａが設けられている（図９参照。）。圧接バー８３の上端部には、厚さ方向に貫通するピン穴８３ｂが設けられている。圧接バー８３の厚さ方向と平行で上下方向に延びる２つの面のうち縦枠体２２内に取り付けられたとき横枠体２１側の面の上方には、幅方向に矩形状に突出する係合片８６が設けられている。圧接バー８３の上方の係合片８６が設けられている箇所及び下方には、取付穴８３ｃがそれぞれ設けられている。圧接バー８３の上下方向に延びる残りの２つの面である表面には、一対の補強圧接板８７が取り付けられている。一対の補強圧接板８７の圧接バー８３の取付穴８３ｃに対応する箇所には、それぞれ取付穴８７ａが設けられ、例えば、一対の補強圧接板８７の一方に設けられた取付穴８７ａがネジ穴に形成されて、ネジ部材によって圧接バー８３及び一対の補強圧接板８７が面接触状態で互いに重ね合わされた状態で取り付けられている。一対の補強圧接板８７は、圧接バー８３の係合片８６より上方がなく、かつ、下端が短い形状に形成され、圧接バー８３のみが係合片８６より上方に突出するように形成されている。すなわち、圧接バー８３の係合片８６より下方が一対の補強圧接板８７で補強されている。また、係合片８６の上面及び一対の補強圧接板８７の上面が受け面８８として形成されている。
【００３２】
受け面８８上には、圧接バー８３が嵌合された状態で通る細長の矩形状の穴８９ａを有している矩形平板状のバネ座８９が載置されている。バネ座８９上には、弾性部材としての圧接バネ１８０が載置されている。圧接バネ１８０は、例えば、圧接バー８３の外周を覆うようにコイル状に形成されている。圧接バネ１８０上には、扉３の幅方向に長い矩形平板状の圧接座１８１が載置されている。圧接座１８１には、圧接バー８３の断面の矩形状より若干大きな矩形状に形成されており、圧接座１８１は、圧接バー８３に対して上下方向に摺動状態で移動するようになっている。また、圧接座１８１の長手方向の両端部近傍には、ネジ穴１８１ａがそれぞれ設けられている。圧接バー８３の受け面８８上に、バネ座８９及び圧接バネ１８０を順次積層し、さらに圧接バネ１８０上に圧接バネ１８０の付勢力に抗して圧接バネ１８０を縮めて圧接座１８１をピン穴８３ｂより受け面８８側に移動させた状態でピン穴８３ｂに抜け止ピン１８２を嵌合させて挿入することで、圧接座１８１が抜け止ピン１８２に当接して圧接座１８１、圧接バネ１８０及びバネ座８９が圧接バー８３から抜け出ることがなく、かつ、圧接バネ１８０の付勢力で圧接座１８１が常に抜け出る方向に付勢されて抜け止ピン１８２に当接した状態になっている。
【００３３】
圧接座１８１の上面には、圧接プレート８４が取り付けられている。圧接プレート８４は、矩形平板状に形成され、例えば、扉３の厚さ方向の長さがレール１２の幅と略同じ寸法で、扉３の幅方向の長さが圧接座１８１より長い寸法でそれぞれ形成されている。圧接プレート８４の中央部には、圧接バー８３と抜け止ピン１８２が通る通し穴８４ａが設けられている。また、圧接プレート８４の圧接座１８１のネジ穴１８１ａと対向する箇所には、貫通穴８４ｂがそれぞれ設けられ、例えば、２つの取付ネジ１８３を各貫通穴８４ａを通してネジ穴１８１ａに螺合させることで、圧接座１８１の上面に圧接プレート８４が面接触状態で取り付けられる。これにより、圧接プレート８４は、圧接座１８１とともに移動し、かつ、上方に圧接バネ１８０によって付勢される。また、圧接プレート８４のレール１２の一対の下面と対向する箇所には、ピン取付穴８４ｃがそれぞれ設けられている。
【００３４】
各ピン取付穴８４ｃには、圧接プレート８４から上方に突出する断面円形状の位置決めピン８５がそれぞれ嵌合されて挿入後、例えば溶接により固定されている。位置決めピン８５の上方は、円錐台状や図示例では円錐状につまり先端に行くにつれて漸次縮径された縮径部８５ａとして形成されている。これら位置決めピン８５は、レール１２の一対の下辺の下面の所定の箇所にそれぞれ取り付けたピン受けプレート１４の係合穴１４ａに挿入されてさらにレール１２の一対の下辺の穴１２ａに挿入され圧接プレート８４がピン受けプレートに面接触状態となることで、基枠２の上部がレール１２に固定されるようになっている。ピン受けプレート１４の係合穴１４ａは、レール１２側の開口から圧接プレート８４側の開口に向かって漸次拡径された形状に形成することで、位置決めピン８５の上方に縮径部８５ａが設けられていることと互いに作用しあって、位置決めピン８５が係合穴１４ａに挿入され易くなっている。また、圧接プレート８４と圧接座１８１が扉３の基枠２の角部近傍の上端の凹部２ａに位置されている状態が退避状態であり、圧接バー８３は、退避位置から基枠２の上部がレール１２に固定される固定位置の間で移動可能に縦枠体２２内に設けられている。すなわち、上部材８１である圧接バー８３は、横枠体２１に退避された退避位置と、横枠体２１から延びてレール１２に係合して基枠２を固定する固定位置との間で上下方向に移動可能に横枠体２１に設けられている。
【００３５】
下部材は、縦枠体２２内で上下方向に移動可能に設けられ下端が縦枠体２２の下面から下方に進退する移動バー８２である（特に図３、図１３〜図１５参照。）。移動バー８２の下端は、円柱状の係合突部８２ａとして形成されている。係合突部８２ａの下方は、円錐台状や円錐状につまり先端に行くにつれて漸次縮径された縮径部８２ｂとして形成されている。この係合突部８２ａは、床１９の所定の箇所に設けた係合穴１９ａに挿入されて係合されることで、基枠２の下部すなわち縦枠体２２の下部が床１９に位置決めされて動きが抑制されるようになっている。このとき、係合突部８２ａの下方に縮径部８２ｂが設けられていることで、係合突部８２ａが係合穴１９ａに挿入され易くなっている。また、係合突部８２ａの下端である先端が床１９から所定の距離はなれて係合突部８２ａの全部又は一部が縦枠体２２内に位置されている状態が退避状態であり、移動バー８２は、退避位置から係合突部８２ａが床１９の係合穴１９ａに係合されている係合位置の間で移動可能に縦枠体２２内に設けられている。この退避位置と係合位置となるために移動バー８２が移動する範囲である長さが、圧接バー８３が退避位置と固定位置となるために移動する長さと同じ寸法で形成されていることが好ましい。
【００３６】
また、固定機構８は、図３、図１３〜図１５に示すように、上部材８１と下部材とを連動させて作動させる連動操作部２８０を備えている。連動操作部２８０は、圧接バー８３と移動バー８２との間に設けられ、圧接バー８３及び移動バー８２をそれぞれ突出方向又は退避方向に連動させて作動させるものである。連動操作部２８０としては、公知のものを用いて構成してもよいが、例えば、ピニオンラック機構を用いてもよい。この連動操作部２８０は、縦枠体２２に取り付けられた基体２８１と、基体２８１に回転可能に設けられたピニオン２８２と、上下方向に移動可能に設けられ、ピニオン２８２に螺合し、かつ、上端及び下端が圧接バー８３及び移動バー８２に連結されるラック部材２８３と、縦枠体２２の表面に開口して設けられ、工具等の操作治具が嵌合されて挿入されピニオン２８２を回転させる例えば断面正方形状の操作穴２８４とを有している。
【００３７】
ラック部材２８３は、上下方向に延びる細長の板状部材で形成されている。ラック部材２８３の上端及び下端には、上下の連結ピン２８５ａ、２８５ｂがそれぞれ設けられている。これら上下の連結ピン２８５ａ、２８５ｂは、縦枠体２２に上下方向に延びて設けられた２つのガイド穴２８６ａ、２８６ｂにそれぞれ挿入されている。これにより、上下の連結ピン２８５ａ、２８５ｂがそれぞれガイド穴２８６ａ、２８６ｂに上下方向に案内される範囲でラック部材２８３が上下方向に移動するようになっている。この上下の連結ピン２８５ａ、２８５ｂは、圧接バー８３及び移動バー８２が退避位置に位置されているときにガイド穴２８６ａ、２８６ｂの一番下に位置され、圧接バー８３及び移動バー８２が固定位置及び係合位置に位置されているときにガイド穴２８６ａ、２８６ｂの一番上に位置されるように、ガイド穴２８６ａ、２８６ｂの位置及び長さが設定されている。
【００３８】
上方の連結ピン２８５ａには、上連動バー２８７の下端が取り付けられている。上連動バー２８７は、１つ又は複数の連結バー２８８を介して圧接バー８３の下端に連結されている。これら上連動バー２８７及び連結バー２８８は、縦枠体２２に上下方向に移動可能にそれぞれ設けられており、上方の連結ピン２８５ａが上下方向に移動すると、上連動バー２８７及び上連結バー２８８を介して圧接バー８３が上下方向に移動するようになっている。なお、上連動バー２８７と連結バー２８８との連結、連結バー２８８同士の連結、及び連結バー２８８と圧接バー８３との連結は、それぞれ連結ピンを用いて互いに回転可能に連結され、かつ、これら連結ピンがそれぞれガイド穴に挿入されてガイド穴によって縦枠体２２の上下方向への上連動バー２８７及び連結バー２８８の移動が案内されるようになっている。
【００３９】
下方の連結ピン２８５ｂには、第１下連動バー３８１の上端が取り付けられている。第１下連動バー３８１の下端は、方向変換バー３８２の第１辺３８２ａに連結されている。方向変換バー３８２は、上下方向の動きを逆方向に変換するもので屈曲状に形成され、屈曲されて形成される角部を軸に縦枠体２２に回転可能に取り付けられている。方向変換バー３８２は、下方の連結ピン２８５ｂがガイド穴２８６ｂの一番下に位置されているときに、２つの辺がそれぞれ下方側に向けて配置されている（特に図１３参照。）。この方向変換バー３８２の一方の第１辺３８２ａ、図示例では左側の辺の先端部に第１下連動バー３８１の下端が連結され、他方の第２辺３８２ｂ、図示例では右側の辺の先端部に第２下連動バー３８３の上端が連結されている。また、方向変換バー３８２は、下方の連結ピン２８５ｂがガイド穴２８６ｂの一番下から一番上に移動したときに、図示例では時計回りに回転して第１辺３８２ａの先端が円弧状に上方側に移動して方向変換バー３８２の回転軸より上方側に位置され、かつ、第２辺３８２ｂの先端が円弧状に下方側に移動して方向変換バー３８２の回転軸の垂直方向の下方（すなわち、第２辺３８２ｂの先端が垂直方向の一番下方（最下位）の位置）を少し超えたところで停止するように形成されている（特に図１４及び図１５参照。）。これら第１辺３８２ａ及び第２辺３８２ｂの移動は、連結ピン３８６ａ、３８６ｂがガイド穴３８５ａ、３８５ｂによって案内されることで行われている。このように、下方の連結ピン２８５ｂがガイド穴２８６ｂの一番下から一番上に移動したときに、方向変換バー３８２が回転して第２辺３８２ｂの先端に連結されている第２下連動バー３８３が下方に移動するようになっている。
【００４０】
第２下連動バー３８３は、縦枠体２２に上下方向に移動可能に設けられている１つ又は複数の連結バー３８４を介して移動バー８２の上端に連結されており、下方の連結ピン２８５ｂが上下方向に移動すると、第１下連動バー３８１、方向変換バー３８２、第２下連動バー３８３及び連結バー３８４を介して移動バー８２が連結ピン２８５ｂとは逆方向の上下方向に移動するようになっている。これにより、操作穴２８４に工具等の操作治具を嵌合させて挿入してピニオン２８２を回転させ、ガイド穴２８６ａ、２８６ｂの一番下に位置されている上下の連結ピン２８５ａ、２８５ｂをガイド穴２８６ａ、２８６ｂの一番上に移動させると、圧接バー８３と移動バー８２とが連動して圧接バー８３が退避位置から固定位置に移動するとともに移動バー８２が退避位置から係合位置に移動するようになっている。また、操作治具によりピニオン２８２を回転させ、ガイド穴２８６ａ、２８６ｂの一番上に位置されている上下の連結ピン２８５ａ、２８５ｂをガイド穴２８６ａ、２８６ｂの一番下に移動させると、圧接バー８３と移動バー８２とが連動して圧接バー８３が固定位置から退避位置に移動するとともに移動バー８２が係合位置から退避位置に移動するようになっている。なお、第２下連動バー３８３と連結バー３８４との連結、連結バー３８４同士の連結、及び連結バー３８４と移動バー８２との連結は、それぞれ連結ピンを用いて互いに回転可能に連結され、かつ、これら連結ピンがそれぞれガイド穴に挿入されてガイド穴によって縦枠体２２の上下方向への第２下連動バー３８３及び連結バー３８４の移動が案内されるようになっている。
【００４１】
また、第２下連動バー３８３と移動バー８２を連結する連結バー３８４には、連結バー３８４を上方に付勢する付勢手段が設けられている。付勢手段は、例えば、コイル状の付勢バネ３８７である。この付勢バネ３８７は、連結バー３８４の外周に巻回されるように装着され、一端が縦枠体２２に固定されている受け座３８８に当接し、他端が連結バー３８４に固定されている当接座３８９に当接して、常に連結バー３８４を上方に付勢するものである。これにより、方向変換バー３８２は、第２辺３８２ｂの先端が最下位に位置されているときを境に付勢される方向が変わる。すなわち、方向変換バー３８２の回転軸を含む垂直面である境面を境界として第１辺３８２ａの先端が位置される側と異なる側、図示例では最下位位置から右側に第２辺３８２ｂの先端が位置されている場合には、図示例では反時計回りに第２辺３８２ｂの先端が回転するように付勢される、つまり、第１辺３８２ａの先端が下方に移動するように付勢されて、圧接バー８３及び移動バー８２が、それぞれ退避位置に位置されているときには付勢バネ３８７の付勢力によって退避位置にそれぞれ保持されるようになっている（図１３参照。）。逆に、境面を境界として第１辺３８２ａの先端と同じ側、図示例では最下位位置から左側に第２辺３８２ｂの先端が位置されている場合には、図示例では時計回りに第２辺３８２ｂの先端が回転するように付勢される、つまり、第１辺３８２ａの先端が上方に移動するように付勢されて、圧接バー８３及び移動バー８２が、固定位置及び係合位置に位置されているときには付勢バネ３８７の付勢力によって固定位置及び係合位置にそれぞれ保持されるようになっている（図１４及び図１５参照。）。すなわち、方向変換バー３８２と付勢手段である付勢バネ３８７とを有し、圧接バー８３及び移動バー８２を固定位置及び係合位置又は退避位置に保持する保持機構が構成されている。
【００４２】
また、方向変換バー３８２の第２辺３８２ｂの先端の移動範囲は、ほとんどが境面より右側で、境面より左側になる範囲は少ない。この左側になる範囲は、圧接バー８３及び移動バー８２が固定位置及び係合位置に位置されているときや、又はこれら位置に位置される直前を含む場合である。このため、圧接バー８３及び移動バー８２がそれぞれ縦枠体２２から伸びて、圧接バー８３の圧接プレート８４の位置決めピン８５がレール１２に取り付けたピン受けプレート１４の係合穴１４ａに係合して挿入されさらに圧接プレート８４がピン受けプレート１４に面接触して基枠２の上部がレール１２に固定され、かつ、移動バー８２の係合突部８２ａが床１９の係合穴１９ａに挿入されて係合し基枠２（縦枠体２２）の下部が床１９に位置決めされて動きが抑制されて固定される、すなわち、圧接バー８３及び移動バー８２が完全に固定位置及び係合位置に位置されて基枠２が固定された状態にならないと、方向変換バー３８２の第２辺３８２ｂの先端の位置が境面より右側であり、基枠２が完全に固定されていない状態で、操作治具による操作をやめてピニオン２８２及びラック部材２８３への力が解除されると、付勢バネ３８７の付勢力によって方向変換バー３８２が反時計回りに回転して圧接バー８３及び移動バー８２がそれぞれ退避位置に位置されるようになっている。これにより、基枠２が固定されたか否かを容易に把握することができる。
【００４３】
また、横枠体２１には、図３及び図１０〜図１５に示すように、扉３を解除可能に閉状態に保持する保持部材９が回転可能に設けられている。保持部材９は、扉３を閉状態に保持するときに扉３を吊り下げ支持する吊部材であることが好ましい。すなわち、保持部材９は、扉３を吊り下げ支持して閉状態に保持するものである。保持部材９は、扉３に取り付けられた支持ピン９０に係合して扉３を吊り下げ支持する係合位置と、支持ピン９０との係合が解除されて扉３の開閉を行える解除位置との間で回転可能に横枠体２１に設けられている。保持部材９は、２つの吊車取付部材１８が固定されている固定箇所間であって扉３の第２角部側の固定箇所の近傍に設けられていることが好ましい。すなわち、保持部材９は、縦枠体２２から離れた側の吊車取付部材１８の近傍の横枠体２１の箇所に配置されていることが好ましい。
【００４４】
保持部材９は、高さ方向に延びる略直方体状に近い略矩形平板状に形成されている。保持部材９の上端部が基部であり、この基部には、保持部材９を回転可能に軸支する回転部材９１が挿入されて係合する軸穴９ｃが設けられている。また、保持部材９の上端面の縦枠体２２側は、下方に窪んだ段部９３として形成されている。保持部材９の第２角部側の側面の下端部近傍には、水平方向に延びる切り欠き９５が設けられ、保持部材９の下端部がフック部９４として形成されている。フック部９４を形成する切り欠き９５の奥側は、開口より幅広な凹部９５ａが形成されている。これにより、フック部９４の切り欠き９５に支持ピン９０が挿入された状態、すなわち、フック部９４が支持ピン９０に係合した状態のとき、切り欠き９５に凹部９５ａが形成されていることで、支持ピン９０が切り欠き９５から抜け難くなるので、フック部９４の支持ピン９０への係合を保持することができる。また、保持部材９の下端面である先端面のフック部９４の開口側が窪んだ段部９６として形成されている。
【００４５】
保持部材９は、２枚の吊部板９ａ、９ｂを重ね合わせて例えば２つのネジにより固定して形成することが好ましい。この場合、一方の吊部板９ａに一方の側面から幅方向に延びるスリット９ｄを形成し、他方の吊部板９ｂに他方の側面から幅方向に延びるスリット９ｅを形成し、これら２つの吊部板９ａ、９ｂを重ね合わせたとき、両スリット９ｄ、９ｅにより軸穴９ｃが形成されるようにする。この軸穴９ｃに挿入される回転部材９１は、円柱状に形成されている。回転部材９１の軸穴９ｃに対応する箇所には、互いに平行な係合部９１ａが設けられている。この係合部９１ａに保持部材９の軸穴９ｃが係合するように保持部材９を形成する２枚の吊部板９ａ、９ｂのスリット９ｄ、９ｅの幅は、係合部９１ａ間の長さより若干長い寸法で形成されている。保持部材９の軸穴９ｃへの回転部材９１の係合は、回転部材９１の係合部９１ａに一方の吊部板９ａのスリット９ｄを係合させ、かつ、この係合部９１ａに他方の吊部板９ｂのスリット９ｅを係合させる。このとき、回転部材９１の係合部９１ａに吊部板９ａ、９ｂを係合させる方向が異なる。両吊部板９ａ、９ｂを回転部材９１の係合部９１ａに係合させて互いに重ね合わせて２つのネジにより固定する。これにより、保持部材９の軸穴９ｃに回転部材９１が係合して回転部材９１を回転させることで、回転部材９１を軸に保持部材９が回転するようになっている。回転部材９１は、略Ｌ字平板状の操作レバー９２の一方の端部側の一方の表面に固定されている。操作レバー９２の他方の端部の他方の表面には、表面から突出する係合部９２ａが設けられており、操作部材を係合部９２ａに係合させることで高所に操作レバー９２が位置されていても操作レバー９２を操作することが可能になっている。なお、図中、９ｆは、ネジを通す通し穴、９ｇはそのネジが螺合するネジ穴をそれぞれ示している。
【００４６】
扉３の上フレーム３１内には、扉３の厚さ方向に延び保持部材９のフック部９４が係合して扉３が吊り下げ支持される支持ピン９０が取り付けられている。支持ピン９０は、保持部材９の軸穴の高さ方向の下方の位置の上フレーム３１に取り付けられている。支持ピン９０は、上フレーム３１に固定されていてもよいが、支持ピン９０の位置を例えば高さ方向に調節するピン調節部１９０を介して設けることが好ましい。
【００４７】
ピン調節部１９０は、図１０〜図１２に示すように、上フレーム３１の一対の補強板３５間に取り付けられる固定部材１９１と、固定部材１９１に高さ方向に移動可能に取り付けられ、かつ、支持ピン９０が取り付けられる移動部材とを有している。固定部材１９１は、厚さが薄い直方体の縦枠体２２側の下方を水平方向に突出させたＬ字状のブロック体として形成されている。固定部材１９１の下方の幅方向の長さが長い箇所が取付部１９１ａとして形成され、残りの箇所である上方が支持部１９１ｂとして形成されている。固定部材１９１の取付部１９１ａの幅方向の両側近傍には、厚さ方向に貫通する通し穴１９１ｃがそれぞれ設けられている。固定部材１９１の支持部１９１ｂには、幅方向に間隔をあけて高さ方向に延びかつ厚さ方向に貫通する長穴１９１ｄが２つ設けられている。また、固定部材１９１の上面の長穴１９１ｄからずれた２箇所には、高さ方向に延びるネジ穴１９１ｅがそれぞれ設けられている。固定部材１９１は、上フレーム３１の一対の補強板３５間に挟持された状態で取り付けられている。
【００４８】
一対の補強板３５の保持部材９の下方に位置される箇所の上方は、扉３の幅方向に長い細長矩形状に凹みさらに横枠体２１側の下方が水平方向に奥へと凹んで制限凹部１９３ａとして形成された略Ｌ字状の嵌合凹部１９３がそれぞれ設けられている。嵌合凹部１９３の制限凹部１９３ａが設けられていない箇所の幅方向の長さは、固定部材１９１の取付部１９１ａの幅方向の長さより少し長い寸法で形成されている。また、嵌合凹部１９３の高さ方向の長さは、固定部材１９１の支持部１９１ｂの高さ方向の長さより短い寸法で形成されている。一方の補強板３５の嵌合凹部１９３の下方には、取付ネジを通しかつその取付ネジの頭部を収容する２つの穴１９４ａが固定部材１９１の取付部１９１ａの通し穴１９１ｃに対応して設けられている。他方の補強板３５の固定部材１９１の取付部１９１ａの通し穴１９１ｃに対応する箇所には、それぞれ取付ネジが螺合するネジ穴１９４ｂが設けられている。これら一対の補強板３５の穴１９４ａ及びネジ穴１９４は、固定部材１９１の通し穴１９１ｃと穴あわせした状態で取付ネジを用いて固定部材１９１が上フレーム３１の一対の補強板３５間に挟持された状態で取り付けられ、かつ、固定部材１９１の支持部１９１ｂが一対の補強板３５の嵌合凹部１９３間に位置されるとともに支持部１９１ｂの上面が補強板３５の上端面より上方に位置されるように形成されている。
【００４９】
移動部材は、一対の補強板３５の嵌合凹部にそれぞれ嵌合される一対の移動板１９２で形成されている。一対の移動板１９２は、扉３の幅方向に細長の矩形平板状の縦枠体２２側の上端面が上方に突出されてピン取付部１９２ａとして形成された略Ｌ字板状に形成されている。移動板１９２の厚さは、補強板３５の厚さと略同じ寸法で形成されている。移動板１９２のピン取付部１９２ａが設けられていない箇所の高さ方向の長さは、嵌合凹部１９３の高さ方向の長さより長く、かつ、固定部材１９１の支持部１９１ｂの高さ方向の長さより短い寸法で形成されている。移動板１９２の幅方向の長さは、制限凹部１９３ａが設けられていない箇所の嵌合凹部１９３の幅方向の長さより若干短い寸法で形成されており、移動板１９２が嵌合凹部１９３に嵌合されるようになっている。
【００５０】
移動板１９２のピン取付部１９２ａ側の端面の下部には、幅方向に矩形状に突出して嵌合凹部１９３に嵌合時に制限凹部１９３ａ内に位置される凸部１９２ｂが設けられている。凸部１９２ｂの突出長さ、すなわち、凸部１９２ｂが設けられた箇所の移動板１９２の幅方向の長さは、制限凹部１９３ａが設けられている箇所の嵌合凹部１９３の幅方向の長さより若干短い寸法で形成されている。凸部１９２ｂの高さ方向の長さは、制限凹部１９３ａの高さ方向の長さより短い寸法で形成されている。これにより、嵌合凹部１９３に移動板１９２を嵌合させたとき、移動板１９２のピン取付部１９２ａ側の移動板１９２の高さ方向の移動は、凸部１９２ｂが制限凹部１９３ａ内で上下に移動し得る範囲で行われるようになっている。
【００５１】
一方の移動板１９２の固定部材１９１の長穴１９１ｄに対応する箇所には、調節ネジを通しかつその調節ネジの頭部を収容する２つの穴１９２ｃが設けられている。また、他方の移動板１９２の固定部材１９１の長穴１９１ｄに対応する箇所には、調節ネジが螺合する２つのネジ穴１９２ｄが設けられている。これにより、嵌合凹部１９３に移動板１９２を嵌合させたとき、移動板１９２のピン取付部１９２ａが設けられていない側の移動板１９２の高さ方向の移動は、調節ネジが長穴１９１ｄを上下に移動し得る範囲で行われるようになっている。この移動範囲は、移動板１９２の凸部１９２ｂが制限凹部１９３ａ内で上下に移動し得る範囲と略同じになるように形成することが好ましい。よって、移動板１９２は、上下方向に移動可能に設けられ、この移動は、調節ネジが長穴１９１ｄを移動し得る範囲又は移動板１９２の凸部１９２ｂが制限凹部１９３ａ内を移動し得る範囲であるので、長穴１９１ｄや移動板１９２の凸部１９２ｂ、制限凹部１９３ａの長さを調節することで、移動板１９２の上下に移動する範囲を調節することができる。
【００５２】
また、固定部材１９１の支持部１９１ｂの上面には、押え板１９５が取付ボルト１９６によって面接触状態で取り付けられる。押え板１９５は、扉３の長手方向に長い矩形平板状に形成されている。押え板１９５の長手方向の長さは、固定部材１９１の支持部１９１ｂの長手方向の長さと略同じ寸法で形成されている。押え板１９５の幅方向の長さは、一対の補強板３５の外面間の長さと同じ寸法で形成されている。これにより、押え板１９５は、移動板１９２のピン取付部１９２ａが設けられていない箇所の上方に位置されているために、移動板１９２の嵌合凹部１９３からの抜け出を防止する機能を有している。
【００５３】
さらに、一対の移動板１９２のピン取付部１９２ａは、固定部材１９１の支持部１９１ｂが設けられていない箇所に対応した位置に形成されている。これらピン取付部１９２ａの保持部材９の回転軸の垂直方向の下方又は下方近傍に位置され得る箇所には、支持ピン９０の両端部を嵌合された状態で挿入するピン穴１９２ｅがそれぞれ設けられている。支持ピン９０の一対の移動板１９２間の外周には、その外周上を周方向に摺動する円筒状のカバー９０ａが設けられている。これにより、保持部材９のフック部９４が支持ピン９０に係合する際には支持ピン９０の外周にその周方向に摺動するカバー９０ａに係合するので、フック部９４の支持ピン９０への係合が行われ易くなっている。
【００５４】
この保持部材９と固定機構８を連動させる連動機構１０が基枠２に設けられている。連動機構１０は、図４、図５、図１０〜図１５、特に図１３〜図１５に示すように、保持部材９で扉３を吊り下げ支持して閉状態に保持しているとき、固定機構８による基枠２の固定とその固定の解除を行え、この基枠２の固定が解除されている状態では保持部材９が閉状態にロックされ、かつ、固定機構８で基枠２を固定しているとき、保持部材９による扉３の閉状態の保持とその扉への係合の解除を行え、この保持部材９による扉の係合が解除された状態では基枠２の固定がロックされるように構成されている。すなわち、連動機構１０は、保持部材９により扉３が閉塞状態に保持されているとき、固定機構８による基枠２の固定とその固定の解除を行えるが、この基枠２の固定が解除されている状態では保持部材９が閉状態にロックされているので、扉３のロックの解除が基枠２を固定してからでないと行えないようになっている。また、連動機構１０は、基枠２が固定されているとき、保持部材９による扉３の閉塞状態の保持とその扉３への係合の解除を行え、この保持部材９による扉３の係合が解除された状態では基枠２の固定がロックされているので、基枠２の固定の解除が扉３を閉塞状態に保持してからでないと行えないようになっている。
【００５５】
連動機構１０は、保持部材９を係合位置にロックする第１ロック位置と圧接バー８３を固定位置にロックする第２ロック位置との間で回転可能に横枠体２１に設けられているロックカム１０１と、圧接バー８３の退避位置から固定位置への移動を許容する第１位置と圧接バー８３を固定位置にロックする第２位置との間で回転可能に横枠体２１に設けられているリンクカム１０２と、ロックカム１０１を第１ロック位置にロックするロックカム１０１ロック位置とリンクカム１０２を第２位置にロックするリンクカム１０２ロック位置との間で移動可能に横枠体２１に設けられているロックバー１０３と、保持部材９を解除位置にロックする係合フック１０４とを有している。
【００５６】
ロックカム１０１は、扉３の幅方向に長い矩形平板状の下側の横枠体２１側の角部が斜め下方に突出してカム部１０５として形成された形状に形成されている。ロックカム１０１の横枠体２１と反対側の幅方向の端部近傍が回転軸１０１ａを介して横枠体２１に回転可能に取り付けられている。ロックカム１０１の回転軸１０１ａの下方の箇所からカム部１０５の下面である第１面１０５ａまでは、保持部材９の上端面に面接触し得る形状に形成されている。すなわち、ロックカム１０１のカム部１０５の第１面１０５ａが保持部材９の上端面の段部９３に接している。ロックカム１０１の横枠体２１側の端面とカム部１０５との境は、扉３の幅方向に平行なカム面１０５ｂとして形成されている。カム部１０５の第１面１０５ａ以外の残りの面である第２面１０５ｃは、ロックカム１０１が第２ロック位置のとき高さ方向に平行な垂直面となるように傾斜されている。ロックカム１０１は、保持部材９が係合位置に位置されているとき、長手方向が扉３の幅方向とほぼ平行で下面の一部及びカム部１０５の第１面１０５ａが保持部材９の上面に接して保持部材９を係合位置にロックするための第１ロック位置に位置されている。このロックカム１０１は、保持部材９を係合位置から解除位置に回転させたとき、この保持部材９の回転に伴って第１ロック位置から第２ロック位置に回転する。すなわち、保持部材９を係合位置から解除位置に回転させると、まず、保持部材９の上端面の段部９３でロックカム１０１のカム部１０５の第１面１０５ａを押し上げてロックカム１０１を回転させ、そして、保持部材９の第１面１０５ａを押し上げる箇所が段部から側端面に移動して保持部材９が約９０°回転して上フレーム３１内に収容されて解除位置になると、ロックカム１０１の回転が停止する。この停止位置が圧接バー８３を固定位置にロックするための第２ロック位置である。また、ロックカム１０１は、保持部材９を解除位置から係合位置に回転させると、自重で第２ロック位置から第１ロック位置に回転して自然に戻るようになっている。
【００５７】
リンクカム１０２は、基枠２の角部近傍内で吊車取付部材１８が固定される固定箇所と圧接バー８３の係合片８６との間に設けられている。リンクカム１０２は、上下方向に延び、上方が回転軸を介して基枠２に回転可能に取り付けられている。吊車取付部材１８が固定される箇所側のリンクカム１０２の側面の下方は、ロックバー１０３が当接する当接部１０２ａとして形成されている。また、当接部１０２ａと反対側のリンクカム１０２の側面の下方には、圧接バー８３が退避位置に位置されているとき、斜め下方に略矩形状に突出するカム部１０６が設けられている。このカム部１０６の突出する先端面が第１面１０６ａで、カム部１０６の上方側の面が第２面１０６ｂとしてそれぞれ形成されている。リンクカム１０２は、カム部１０６の第１面１０６ａが圧接バー８３の係合片８６の先端面に接して圧接バー８３の退避位置から固定位置への移動を許容する第１位置と、圧接バー８３を退避位置から固定位置に移動したとき、カム部１０６の第２面１０６ｂに圧接バー８３の係合片８６の下面が接して圧接バー８３を固定位置にロックするための第２位置との間で回転可能に設けられている。
【００５８】
ロックバー１０３は、一端がロックカム１０１に係合するかロックカム１０１の近傍に位置され、他端がリンクカム１０２の当接部１０２ａに当接する横枠体２１内に長手方向に延びる棒状部材で形成されている。ロックバー１０３は、例えば、内装体２６上に載置された状態で横枠体２１内を長手方向に移動可能に設けられている。また、ロックバー１０３は、横枠体２１内に長手方向に移動可能に設けられている。ロックバー１０３は、ロックカム１０１が第１ロック位置に位置され、かつ、圧接バー８３が退避位置に位置されているとき、一端がロックカム１０１のカム部１０５のカム面１０５ｂに係合し、かつ、カム部１０６の第１面１０６ａが圧接バー８３の係合片８６の先端面に接しているリンクカム１０２の当接部１０２ａに他端が当接して、ロックカム１０１を第１ロック位置にロックし得る長さで形成されている。また、このロックバー１０３は、圧接バー８３が固定位置に位置されて圧接バー８３の係合片８６の下面にカム部１０６の第２面１０６ｂが接しているリンクカム１０２の当接部１０２ａに他端が当接したとき、一端がロックカム１０１の回転を許容し、かつ、ロックカム１０１が第２ロック位置に位置されたときに、一端面がロックカム１０１のカム部１０５の垂直になった第２面１０５ｃに近接した状態で対向しこの第２面１０５ｃに一端面が当接してもリンクカム１０２のカム部１０６の第２面１０６ｂが圧接バー８３の係合片８６の下面に接した係合状態が解除されない長さにも形成されている。これにより、ロックバー１０３は、一端がロックカム１０１に係合し他端がリンクカム１０２に当接してロックカム１０１を第１ロック位置にロックするロックカムロック位置と、他端が第２位置に位置されたリンクカム１０２に当接し一端がロックカム１０１の回転を許容するとともにロックカム１０１が第２ロック位置のときに他端から一端への移動を防止してリンクカム１０２を第２位置にロックするリンクカムロック位置との間で移動可能に横枠体２１に設けられている。
【００５９】
また、ロックバー１０３は、一端から他端側に付勢されている。この付勢を行う付勢手段は、特に限定されず、例えば、コイル状の付勢バネ１０７が用いられる。付勢バネ１０７は、ロックバー１０３の外周に巻回されるように装着され、一端が受け座１０８に当接し、他端が当接座１０９に当接している。受け座１０８は、ロックバー１０３が貫通する貫通穴１０８ａを有している平板状に形成され、両側が一対の補強板の嵌合穴２７ｃに嵌合されて嵌合穴２７ｃを形成する面に当接している。当接座１０９は、ロックバー１０３が貫通する貫通穴１０９ａ及び係合フック１０４が接触する接触片１０９ｂを有し嵌合穴２７ｃに嵌合する平板状に形成され、ロックバー１０３の凸部１０３ｃに当接している。これにより、付勢バネ１０７の付勢力によって、常にロックバー１０３を一端から他端側に付勢するようになっている。これら受け座１０８、付勢バネ１０７及び当接座１０９は、解除位置の保持部材９の上方に位置されるように取り付けられている。また、ロックバー１０３の凸部１０３ｃは、嵌合穴２７ｃに連通しロックバー１０３を長手方向に移動させるガイド穴２７ｄに挿入されている。
【００６０】
この付勢バネ１０７によって、ロックバー１０３の他端がリンクカム１０２の当接部１０２ａに当接して、カム部１０６が圧接バー８３に押し付けられるようにリンクカム１０２が付勢される。これにより、圧接バー８３が退避位置に位置されて圧接バー８３の係合片８６の先端面にリンクカム１０２のカム部１０６の第１面１０６ａが接しているとき、ロックバー１０３の一端がロックカム１０１のカム部１０５のカム面１０５ｂに係合しているので、圧接バー８３を固定位置に位置させるつまり基枠２を固定しない限りは、保持部材９を回転させることができず扉３がロック状態に保持されるようになっている（図１３参照。）。また、圧接バー８３を退避位置から固定位置に移動させるつまり基枠２を固定すると、圧接バー８３が上方に移動してリンクカム１０２のカム部１０６が圧接バー８３の係合片８６に接する箇所が先端面から下面に移動し、かつ、カム部１０６の係合片８６に接する箇所も第１面１０６ａから第２面１０６ｂに移動し、すなわち、付勢バネ１０７の付勢力によってロックバー１０３が一端から他端側に移動してリンクカムロック位置に位置されるようになっている。このとき、ロックバー１０３の一端のロックカム１０１のカム部１０５のカム面１０５ｂとの係合が解除されている（図１４参照。）。つまり、基枠２を固定すると、扉３のロックを解除できるようになっている。この状態で、保持部材９を係合位置から解除位置に回転させると、この回転にともなってロックカム１０１も回転してロックカム１０１が第１ロック位置から第２ロック位置に移動する。なお、図１４のＣで示す図はこの保持部材９の回転の途中の状態を示す図である。ロックカム１０１が第１ロック位置から第２ロック位置に移動したとき、ロックカム１０１のカム部１０５の第２面１０５ｃにロックバー１０３の一端面が近接した状態で対向しているので、この第２面１０５ｃに一端面が当接してもリンクカム１０２のカム部１０６の第２面１０６ｂが圧接バー８３の係合片８６の下面に接した係合状態が解除されず、圧接バー８３がロック状態に保持されるようになっている（図１５参照。）。つまり、扉３の開閉を行えるとき（保持部材９により扉３の吊り下げ支持が行われていないとき）には、基枠２が固定された状態にロックされて基枠２の固定を解除できないようになっている。この状態から保持部材９を解除位置から係合位置に回転させることで、圧接バー８３を固定位置から退避位置に移動させることが可能となる。
【００６１】
係合フック１０４は、当接座１０９の近傍で当接座１０９よりリンクカム１０２側の横枠体２１内に設けられている。係合フック１０４は、上下方向に延びた基部１０４ａの上端が当接座１０９側に直交する側に曲がって先端が当接座１０９の接触片１０９ｂに当接し得る当接部１０４ｂとして形成され、かつ、基部１０４ａの下端が当接座１０９側に下方が傾斜された直角三角形状に突出した係合部１０４ｃとして形成された略コ字状に形成されている。係合フック１０４の基部１０４ａの中央部より上方側が回転軸１０４ｄを介して横枠体２１に回転可能に取り付けられている。係合フック１０４は、当接部１０４ｂと係合部１０４ｃとの間の長さが保持部材９の下端面の段部９６を除いた保持部材９の幅方向の長さより長い寸法で形成されてなる。
【００６２】
これにより、ロックバー１０３がリンクカム１０２ロック位置に位置されているときに付勢バネ１０７が当接されている側とは反対側の当接座１０９の接触片１０９ｂが当接部１０４ｂに当接し、この状態で保持部材９が係合位置から解除位置に回転すると、回転の途中で保持部材９の段部９６が設けられていない下方の角部が係合部１０４ｃに接触して係合フック１０４を当接部１０４ｂの付勢力に抗して回転軸１０４ｄを軸に回転させ、図示例では反時計回りに回転させ、保持部材９の段部９６を除いた下端が係合部１０４ｃより上方に至って保持部材９が解除位置になると、付勢バネ１０７の付勢力によって係合フック１０４が逆方向に回転して係合部１０４ｃが保持部材９の段部９６を形成する面に係合して保持部材９が解除位置にロックされるようになっている。また、保持部材９を解除位置にロックした状態から保持部材９を解除位置から解除される方向で付勢バネ１０７の付勢力より大きな力を作用させると、保持部材９が回転してかつ係合フック１０４も回転して係合フック１０４による係合が解除されて、保持部材９が係合位置に至るようになっている。すなわち、係合フック１０４は、保持部材９を解除位置にロックするロック位置と保持部材９の係合を解除する解除位置との間で回転可能に設けられている。
【００６３】
さて、この扉付移動壁１は、移動壁１５つまり扉３が付いていない移動壁１５と同じように、幅方向の両側近傍の上端にそれぞれ吊車装置１１の連結部１１ａが取り付けられ、手動で２つの吊車装置１１とともにレール１２に沿って所定の箇所に移動させることができる。よって、複数の移動壁１５で仕切る際に所定の位置に扉付移動壁１を移動させ、移動後、操作治具を操作穴２８４に嵌合させて挿入し、この操作穴２８４を縦枠体２２に対して回転させて圧接バー８３を縦枠体２２から伸ばしてレール１２に係合させるとともに移動バー８２を縦枠体２２から下方に伸ばして床１９に係合させて基枠２を固定する。これにより、扉付移動壁１が所定の位置に固定された状態で設置され（図１参照）、扉３の開閉時には、扉３ががたつくことがなく扉３の開閉を行える。扉３は、基枠２の横枠体２１及び受け部２３に第１回転軸４と第２回転軸５を介して回転可能に取り付けられているので、扉３を開けるときには、手前側にも奥側にも両方向に扉３を回転させることができる。また、ドアクローザー２０を扉３の上フレーム３１と横枠体２１との間に設けることにより、扉３は開かれた後に自動的に閉じられる。
【００６４】
扉３を基枠２に回転可能に取り付けるための第１回転軸４は、扉３の上端に取り付けられ、その第１回転軸４の上部が横枠体２１内で回転可能に吊り下げ支持されている。第２回転軸５は、受け部２３に取り付けられ、かつ、扉３に回転可能に支持されている。このように、扉３は、第１回転軸４に吊り下げ支持されながら第１回転軸４及び第２回転軸５を介して回転可能に基枠２に取り付けられている。また、基枠２の横枠体２１には、扉３を解除可能に吊り下げ支持して閉状態に保持する保持部材９が設けられている。この保持部材９は、連動機構１０によって固定機構８と連動されている。このため、扉付移動壁１の安全性が高くなる。
【００６５】
すなわち、扉付移動壁１の移動を行うときには、基枠２の固定を解除した状態であり、この状態は、保持部材９で扉３が吊り下げ支持されて閉状態に保持されているときで、このとき扉３が閉状態にロックされている。具体的には、扉付移動壁１の移動を行うときには、保持部材９を支持ピン９０に係合させて扉３を保持部材９によって吊り下げ支持させつつ扉３の開閉が行われないように扉３をロックし、かつ、固定機構８による基枠２の固定を解除する、つまり、圧接バー８３及び移動バー８２を退避位置に位置させる。この状態のときのみ、扉付移動壁１の移動を行える。このとき、圧接バー８３が退避位置に位置されて圧接バー８３の係合片８６の先端面にリンクカム１０２のカム部１０６の第１面１０６ａが接しているので、ロックバー１０３の一端がロックカム１０１のカム部１０５のカム面１０５ｂに係合している。このため、圧接バー８３を固定位置に位置させるつまり基枠２を固定しない限りは、保持部材９を回転させることができず扉３がロックされたままで扉３を開閉することができない（図１３参照。）。よって、扉３が開くことなく安全に扉付移動壁１の移動を行える。このとき、圧接バー８３は、付勢バネ３８７の付勢力によって退避位置に保持されることから、扉付移動壁１を移動中に圧接バー８３が動くことがないので、より安全に扉付移動壁１の移動を行える。また、扉付移動壁１を収納するときには、移動時と同じ状態で収納することで、扉３が開くことなく安全に扉付移動壁１を収納することができる。
【００６６】
また、扉付移動壁１を所定の位置に移動させた後は、操作治具を操作穴２８４に嵌合させて挿入し、この操作穴２８４を縦枠体２２に対して回転させて圧接バー８３を縦枠体２２から伸ばしてレール１２に係合させるとともに移動バー８２を縦枠体２２から下方に伸ばして床１９に係合させて基枠２を固定する。これにより、扉付移動壁１が所定の位置に固定された状態で設置される。このとき、圧接バー８３は、付勢バネ３８７の付勢力によって固定位置に保持されることから、扉付移動壁１はその位置に確実に固定される。
【００６７】
このように、圧接バー８３を退避位置から固定位置に移動させるつまり基枠２を固定すると、圧接バー８３は上方に移動して、この移動に伴ってリンクカム１０２のカム部１０６が圧接バー８３の係合片８６に接する箇所が先端面から下面に移動し、かつ、カム部１０６の係合片８６に接する箇所も第１面１０６ａから第２面１０６ｂに移動する。すなわち、付勢バネ１０７の付勢力によってロックバー１０３が一端から他端側に移動してリンクカムロック位置に位置され、ロックバー１０３の一端のロックカム１０１のカム部１０５のカム面１０５ｂとの係合が解除される（図１４参照。）。
【００６８】
これにより、保持部材９を係合位置から解除位置に回転させることが可能となる、すなわち、扉３のロックを解除することが可能となる。操作レバー９２の係合部９２ａに操作部材を係合させて操作レバー９２を回転部材９１を軸に保持部材９が解除位置になるように回転させる。すると、保持部材９が回転部材９１によって係合位置から解除位置に回転する。この回転にともなってロックカム１０１も回転してロックカム１０１が第１ロック位置から第２ロック位置に移動する。このとき、ロックカム１０１のカム部１０５の第２面１０５ｃにロックバー１０３の一端面が近接した状態で対向しているので、この第２面１０５ｃに一端面が当接してもリンクカム１０２のカム部１０６の第２面１０６ｂが圧接バー８３の係合片８６の下面に接した係合状態が解除されず、圧接バー８３がロック状態に保持される（図１５参照。）。すなわち、基枠２の固定がロックされる。よって、基枠２を固定しないと、扉３の開閉を行えないから、基枠２を固定する動作中に扉３のロックが解除されて扉３が開くことはないので、安全に扉付移動壁１の設置を行えることになる。また、基枠２を固定する動作を行ったが、基枠２の固定を行えなかったときに扉３が開くこともない。さらに、扉３の開閉を行うときには、必ず基枠２が固定されているので、基枠２が動くことなく安全に扉３の開閉を行える。また、保持部材９が解除位置に位置されると、付勢バネ１０７の付勢力によって係合フック１０４を介して保持部材９が解除位置にロックされるので、より安全に扉３の開閉を行える。
【００６９】
また、扉３の開閉を行えるとき、すなわち、保持部材９により扉３の吊り下げ支持が行われていないときには、基枠２が固定された状態にロックされて基枠２の固定を解除できない。このため、扉３の開閉を行うときに基枠２の固定が誤って解除されることがないので、扉３の開閉をより安全に行える。
【００７０】
そして、扉付移動壁１を所定の位置に設置した状態のまま、例えば、夜間等で扉３の開閉を行わないときには、操作部材を操作レバー９２の係合部９２ａに係合させて操作レバー９２を回転部材９１を軸に保持部材９が係合位置になるように回転させる。すると、保持部材９が回転部材９１によって解除位置から係合位置に回転して、保持部材９が扉３の支持ピン９０に係合して扉３が吊り下げ支持される。これにより、基枠２を固定したまま扉３の開閉を行えないようにすることができる。
【００７１】
また、所定の位置に設置した扉付移動壁１を他に移動させるには、保持部材９を解除位置から係合位置に回転させて支持ピン９０に係合させ保持部材９でも扉３を吊り下げ支持させる。このように保持部材９が回転すると、ロックカム１０１が自重で第２ロック位置から第１ロック位置に回転し、かつ、ロックカム１０１のカム部１０５の第２面１０５ｃがロックバー１０３の一端面に近接した状態が解除される。この状態は図１４に示す状態である。この状態のまま、操作治具を操作穴２８４に嵌合させて挿入し、この操作穴２８４を縦枠体２２に対して回転させて圧接バー８３を縦枠体２２に退避させてレール１２との係合を解除するとともに移動バー８２を縦枠体２２に退避させて床１９との係合を解除して基枠２の固定を解除する。このように、保持部材９による扉３の係合が解除された状態では基枠２の固定がロックされているから、保持部材９で扉を閉状態に保持しないと、基枠２の固定を解除できないので、基枠２の固定を解除する動作中に扉が開くことはない。よって、安全に基枠２の固定の解除を行えることになる。
【００７２】
したがって、本実施形態の扉付移動壁１は、安全性に優れたものである。
【００７３】
また、扉付移動壁１の移動時又は収納時には、扉３は、横枠体２１つまり基枠２に第１回転軸４と保持部材９の２つの部材により吊り下げ支持されるから、扉３の荷重が第１回転軸４と支持ピン９０に分散されるので、扉３の全荷重が第１回転軸４にのみ作用することがない。また、支持ピン９０の扉３に対する位置を上下方向に移動すなわち調節することができるので、第１回転軸４にかかる荷重も調節することができる。
【００７４】
また、基枠２を固定して扉３の開閉を行うときには、保持部材９による扉３の吊り下げ支持を解除するが、この解除は、連動機構１０によって固定機構８の圧接バー８３を縦枠体２２から伸ばしてレール１２に係合させるとともに移動バー８２を縦枠体２２から下方に伸ばして床１９に係合させて基枠２が固定されてからでないと行えない。このため、扉３の開閉時には、第２回転軸５は、床１９に係合された縦枠体２２の近傍から突出する受け部２３に取り付けられているので、第２回転軸５で扉３の荷重の一部が支えられることになり、扉３の全荷重が第１回転軸４にのみ作用することがない。
【００７５】
このように、本実施形態の扉付移動壁１は、扉３の全荷重が第１回転軸４にのみ作用することがないので、第１回転軸４が曲がったり縦枠体２２が曲がったりすることがなく、扉３を十分に支えることができる。
【００７６】
また、連動機構１０を、保持部材９を係合位置にロックする第１ロック位置と圧接バー８３を固定位置にロックする第２ロック位置との間で回転可能に横枠体２１に設けられているロックカム１０１と、圧接バー８３の退避位置から固定位置への移動を許容する第１位置と圧接バー８３を固定位置にロックする第２位置との間で回転可能に横枠体２１に設けられているリンクカム１０２と、ロックカム１０１を第１ロック位置にロックするロックカムロック位置とリンクカム１０２を第２位置にロックするリンクカムロック位置との間で移動可能に横枠体２１に設けられているロックバー１０３と、保持部材９を解除位置にロックする係合フック１０４とを有している構成にすることで、簡単な構造で確実に扉付移動壁１の安全性を確保することができる。
【００７７】
また、圧接バー８３を縦枠体２２から伸ばしてレール１２に係合させて基枠２の上部を固定する際、圧接バー８３の先端部に、圧接バネ１８０により上方に付勢される圧接プレート８４を設け、この圧接プレート８４に設けた２つの位置決めピン８５をレール１２の一対の下辺の下面にそれぞれ取り付けたピン受けプレート１４の係合穴１４ａに挿入させて位置決めを行うので、基枠２の上部を所定の位置に確実に位置決めすることができる。このとき、位置決めピン８５の上方に縮径部８５ａが設けられ、かつ、ピン受けプレート１４の係合穴１４ａがレール１２側の開口から圧接プレート８４側の開口に向かって漸次拡径された形状に形成されていることで、位置決めピン８５の係合穴１４ａへの挿入を確実に行える。そして、位置決めピン８５がピン受けプレート１４の係合穴１４ａに挿入されてから、圧接プレート８４がピン受けプレート１４に面接触して基枠２の上部が固定される。このとき、圧接プレート８４は、圧接バネ１８０により上方に付勢されているから、レール１２が設けられている箇所までの高さに誤差が生じても、圧接バネ１８０の付勢力によりその誤差を吸収でき、確実に基枠２の上部の固定を行える。
【００７８】
また、固定機構８に、方向変換バー３８２と付勢手段である付勢バネ３８７とからなる保持機構を設けたことで、退避位置の圧接バー８３及び移動バー８２をその退避位置にそれぞれ保持でき、かつ、固定位置の圧接バー８３及び係合位置の移動バー８２をその固定位置及び係合位置にそれぞれ保持できる。また、屈曲状に形成した方向変換バー３８２を、圧接バー８３又は移動バー８２が退避位置から固定位置及び係合位置に移動したとき、第２辺３８２ｂの先端が円弧状に下方側に移動して方向変換バー３８２の回転軸の垂直方向の下方の最下位を少し超えたところで停止するように形成することで、圧接バー８３及び移動バー８２が完全に固定位置及び係合位置になって基枠２が固定された状態にならないと、方向変換バー３８２が付勢バネ３８７の付勢力により回転して圧接バー８３及び移動バー８２が退避位置に移動する。すなわち、基枠２が完全に固定されていない状態では、圧接バー８３及び移動バー８２が退避位置に戻るので、基枠２の固定状態を容易に把握することができる。
【００７９】
また、第１回転軸４の扉３の幅方向に対する位置の調節を行う第１軸調節部６と、第２回転軸５の扉３の幅方向に対する位置の調節を行う第２軸調節部７とを備えたことで、第１回転軸４及び第２回転軸５の位置をそれぞれ調節することができ、基枠２に対する扉３の回転が円滑になるように調節できる。
【００８０】
第１軸調節部６を、上フレーム３１に扉３の幅方向にスライド可能に設けられる第１スライド部材６１と、第１スライド部材６１をスライドさせる第１アジャスタ部材である第１調節ネジ６３とを含む構成として、第１調節ネジ６３を先端が第１スライド部材６１との螺合箇所から離れる方向にこの第１スライド部材６１に対して回転させることで扉３の上方が第１回転軸４に対して第１幅方向とは反対方向の第２幅方向に移動し、かつ、第１調節ネジ６３を先端が第１スライド部材６１の螺合箇所に近づく方向にこの第１スライド部材６１に対して回転させることで扉３の上方が自重で第１回転軸４に対して第１幅方向に移動するようにしたので、簡単な構造で確実に第１回転軸４の位置の調節を行える。
【００８１】
第２軸調節部７を、下フレーム３２に扉３の幅方向にスライド可能に設けられる第２スライド部材７１と、扉３に固定される第２固定部材７２と、第２スライド部材７１をスライドさせる第２調節ネジ７３とを含む構成として、第２調節ネジ７３を先端が第２固定部材７２との螺合箇所から離れる方向にこの第２固定部材７２に対して回転させることで扉３の下方が前記第２回転軸５に対して第２幅方向に移動し、かつ、第２調節ネジ７３を先端が第２固定部材７２の螺合箇所に近づく方向にこの第２固定部材７２に対して回転させることで扉３の下方が自重で第２回転軸５に対して第１幅方向に移動するようにしたので、簡単な構造で確実に第２回転軸５の位置の調節を行える。
【００８２】
第１回転軸４が、吊車装置１１の連結部１１ａが取り付けられる吊車取付部材１８が固定される横枠体２１の２つの固定箇所の間であって縦枠体２２側の固定箇所の近傍に配置されていることで、横枠体２１の第１回転軸４を支持する箇所と吊車装置１１の連結部１１ａによって吊り下げ支持される箇所との間が狭いので、扉３の荷重が作用する横枠体２１の箇所が狭く、扉３をバランスよく安定して吊り下げ支持することができる。また、保持部材９が、横枠体２１の２つの吊車取付部材１８の固定箇所の間であって縦枠体２２から離れた側の固定箇所の近傍に配置されていることで、横枠体２１の保持部材９を支持する箇所と吊車装置１１の連結部１１ａによって吊り下げ支持される箇所との間が狭いので、扉３の荷重が作用する横枠体２１の箇所が狭く、扉３を保持部材９によってバランスよく安定して吊り下げ支持することができる。
【符号の説明】
【００８３】
１  扉付移動壁
２  基枠
３  扉
４  第１回転軸
５  第２回転軸
６  第１軸調節部
７  第２軸調節部
８  固定機構
９  保持部材
１０  連動機構
１１  吊車装置
１２  レール
２１  横枠体
２２  縦枠体
２３  受け部
８１  上部材
８２  移動バー（下部材）
【図１】
0005660843.tif 000002
【図２】
0005660843.tif 000003
【図３】
0005660843.tif 000004
【図４】
0005660843.tif 000005
【図５】
0005660843.tif 000006
【図６】
0005660843.tif 000007
【図７】
0005660843.tif 000008
【図８】
0005660843.tif 000009
【図９】
0005660843.tif 000010
【図１０】
0005660843.tif 000011
【図１１】
0005660843.tif 000012
【図１２】
0005660843.tif 000013
【図１３】
0005660843.tif 000014
【図１４】
0005660843.tif 000015
【図１５】
0005660843.tif 000016